(57)【要約】【課題】本発明は、警報制御線がなくても、戸外表示器とＴＶドアホンの切替ができるようにすることを目的とする。【解決手段】住戸内に設置される住宅情報盤１０と、その住宅情報盤と切替部４０Ｃを介して接続され、前記住戸の玄関先に設置されるＴＶドアホン５及び戸外表示器７とを有する警報システムにおいて、住宅情報盤と戸外表示器とを接続する表示灯線Ｌ３と、その表示灯線の状態を監視する警報監視回路４０Ｂとを備え、警報監視回路により切替部４０Ｃの状態を切り替える。住宅情報盤は、火災感知器からの火災信号を受信した時に、表示灯線に表示信号を出力する警報表示回路を備え、警報監視回路は、表示灯線に表示信号が出力されている時、切替部を切り替える。【選択図】　図１
2004038421.tif 000002
【特許請求の範囲】
【請求項１】
住戸内に設置される住宅情報盤と、その住宅情報盤と切替部を介して接続され、前記住戸の玄関先に設置されるドアホン及び戸外表示器とを有する警報システムにおいて、
前記住宅情報盤と戸外表示器とを接続する表示灯線と、
その表示灯線の状態を監視する警報監視回路とを備え、
警報監視回路により前記切替部の状態を切り替えることを特徴とする警報システム。
【請求項２】
前記住宅情報盤は、火災感知器からの火災信号を受信する受信回路と、その受信回路が火災信号を受信した時に、前記表示灯線に表示信号を出力する警報表示回路とを備え、
前記警報監視回路は、前記表示灯線に表示信号が出力されている時、前記切替部を切り替えて、前記住宅情報盤と前記戸外表示器とを接続することを特徴とする請求項１記載の警報システム。
【請求項３】
前記ドアホンは、カメラを備えたＴＶドアホンであり、前記住宅情報盤には、該カメラの画像を映すモニタユニットが接続されることを特徴とする請求項１又は２記載の警報システム。
【発明の詳細な説明】
【０００１】
【発明の属する技術分野】
本発明は、警報システムに関する発明であり、特に共同住宅の住戸の玄関先に設置されるドアホンと戸外表示器の切り替え方式に関するものである。
【０００２】
【従来技術】
本発明の従来技術としては、例えば特開平９−２２３２８９号がある。この公報には、共同住宅に設置されるドアホン及び戸外表示器が開示されている。
【０００３】
従来技術１
この公報をもとにドアホンを含む住戸の警報システムについて説明する。ドアホンは、住戸の外である玄関先に設置されており、住戸内に設けた住宅情報盤に接続されている。住宅内には、火災感知器やガス漏れ警報器などの防災機器が設けられ、火災感知器は、ドアホン内にある中継器を介して住宅情報盤に接続されている。またドアホンは戸外表示器としての機能も兼ね備えている。
【０００４】
このようなシステムにおいて、住戸内で異常、例えば火災が発生すると、火災感知器が火災を検出して、住宅情報盤は火災感知器からの火災信号を受信する。そうすると、住宅情報盤は、内蔵のスピーカから警報すると共に、戸外表示器に警報信号を出力する。これにより戸外表示器では、ＬＥＤなどからなる表示部を点滅させると共に、音声により火災の発生を警報する。
【０００５】
ところで近年、ドアホンにカメラを設けたＴＶ（テレビ）ドアホンが開発されている。ＴＶドアホンは、カメラを駆動するのに大きな電力を必要とする。このため、停電時に、このＴＶドアホンを戸外表示器として動作させることが出来ない。そのため、停電時に火災警報させるために、専用の戸外表示器をＴＶドアホンとは別途に併設する場合がある。このようなシステムの場合には、切替機を設けることで、戸外表示器とＴＶドアホンのいずれかを選択して住宅情報盤と接続させるようにしてある。
【０００６】
従来技術２
この従来の住戸の警報システムを示したシステム図を図２に示す。図２において、１は住戸内に設置される住宅情報盤である。住宅情報盤１は、インターホンの親機としての機能を有し、住戸の玄関先に設置されるＴＶドアホン５と通話可能である。住宅情報盤１には、モニタユニット３が接続され、ＴＶドアホン５からの映像が映し出される。
【０００７】
住戸の玄関先には、ＴＶドアホン５及び戸外表示器７がそれぞれ設置されている。ＴＶドアホン５は、図示しないが呼出釦、カメラ、スピーカ及びマイクロホンなどを有している。また戸外表示器７は、警報用のスピーカ及び表示部を有している。
【０００８】
４は切替機であり、切替スイッチなどからなる切替部４Ｃを有している。切替機４は、切替部４Ｃを切り替えることで、ＴＶドアホン５と戸外表示器７のいずれか一方を住宅情報盤１と接続する。
【０００９】
これら各構成機器は信号線Ｌによって接続されており、切替機４とＴＶドアホン５とが通話映像線Ｌ１で接続され、切替機４と戸外表示器７とが音声警報線Ｌ２で接続されている。また戸外表示器７と住宅情報盤１は、表示灯線Ｌ３で接続されている。更に切替機４とモニタユニット３とが映像線Ｌ４で接続され、切替機４と住宅情報盤１とが、通話線Ｌ５及び警報制御線Ｌ６で接続されている。
【００１０】
このシステムの動作について簡単に説明する。例えば住戸の玄関先に来訪者が来て、ＴＶドアホン５の呼出釦を押すと、住宅情報盤１で呼出音が鳴り、住宅情報盤１はカメラを駆動するためにＴＶドアホン５に給電する。カメラが駆動すると、その映像は、モニタユニット３に映し出される。住宅情報盤１では、送受話器を持ち上げることで、ＴＶドアホン５側の来訪者と通話することができる。この通話時においては、切替機４の切替部４Ｃは、住宅情報盤１とＴＶドアホン５とを接続する状態になっている。
【００１１】
次に停電が発生し、図示しない火災感知器が動作して戸外表示器７から警報する場合について説明する。この停電時に警報すべき場合については、住宅情報盤１は、内蔵のスピーカから警報すると共に、住宅情報盤１から警報制御線Ｌ６を介して切替機４に切替信号を出力する。この切替信号により切替機４の切替部４Ｃは、住宅情報盤１と戸外表示器７とを接続させる状態に切り替わる。こうして、戸外表示器７に、音声警報線Ｌ２，表示灯線Ｌ３を介して警報信号が出力される。これにより戸外表示器７では、表示部を点滅させ、音声により火災の発生を警報する。
【００１２】
なお、通電時において、警報すべき状態になった場合は、戸外表示器７は選択されず、従来技術１のようにＴＶドアホン５から警報が行われる。
【００１３】
【発明が解決しようとする課題】
このように従来のシステムでは、切替機４の切替制御を住宅情報盤１から警報制御線Ｌ６を介して行っている。つまり両者を接続する警報制御線が必要となり、住宅情報盤には、その警報制御線を接続するための専用の接続端子が必要であった。そこで本発明は、警報制御線がなくても切替機の切替ができるようにすることを目的とする。
【００１４】
【課題を解決するための手段】
本発明は、住戸内に設置される住宅情報盤と、その住宅情報盤と切替部を介して接続され、前記住戸の玄関先に設置されるドアホン及び戸外表示器とを有する警報システムにおいて、前記住宅情報盤と戸外表示器とを接続する表示灯線と、その表示灯線の状態を監視する警報監視回路とを備え、警報監視回路により前記切替部の状態を切り替えることを特徴とするものである。
【００１５】
【発明の実施の形態】
図１は、本発明の警報システムのシステム図である。なお図１において、従来技術の図２と同じ部材・機器には、同じ符号をつけて説明を省略する。本発明と従来技術との大きな違いは、切替機４０に、表示灯線Ｌ３の状態を監視する警報監視回路４Ｂが設けられ、その警報監視回路４Ｂにより切替部４Ｃの状態を切り替える点である。
【００１６】
図１において、１０は住戸内に設置される住宅情報盤である。住宅情報盤１０Ｂは、図示しない火災感知器からの火災信号を受信する受信回路１０Ｃと、その受信回路１０Ｃが火災信号を受信した時、表示灯線Ｌ３に表示信号を出力する警報表示回路１０Ｄとを備えている。
【００１７】
住宅情報盤１０は、切替機４０の切替部４０Ｃを介して、住戸の玄関先に設置されるＴＶドアホン５及び戸外表示器７と接続されている。また住宅情報盤１０には、ＴＶドアホン５のカメラの画像を映すモニタユニット３が接続されている。
【００１８】
切替機４０は、警報監視回路４０Ｂ、切替部４０Ｃ、通話回路４０Ｄ、映像回路４０Ｅ、及び電源回路４０Ｆを有している。警報監視回路４０Ｂは、表示灯線Ｌ３に表示信号が出力されている時、切替部４０Ｃを切り替えて、住宅情報盤１０と戸外表示器７とを接続させる。切替部４０Ｃは通常状態では、住宅情報盤１０とＴＶドアホン５を接続する状態になっている。
【００１９】
これら各構成機器は、従来例と同様に信号線Ｌによって接続されている。即ち、切替機４０とＴＶドアホン５とは通話映像線Ｌ１で接続され、切替機４０と戸外表示器７とが音声警報線Ｌ２で接続される。また戸外表示器７と住宅情報盤１０は、表示灯線Ｌ３で接続され、切替機４０とモニタユニット３とは映像線Ｌ４で接続されている。そして、切替機４０と住宅情報盤１０とは、通話線Ｌ５のみで接続され、従来必要であった警報制御線は不要となっている。
【００２０】
より正確に説明すると、通話映像線Ｌ１は、通話回路４０Ｄ及び切替部４０Ｃを介して通話線Ｌ５に接続され、また映像回路４０Ｅを介して映像線Ｌ４に接続されている。また音声警報線Ｌ２は、切替部４０Ｃを介して通話線Ｌ５に接続されている。
【００２１】
次にこのシステムの動作について、通話時と警報時に分けて説明する。まずＴＶドアホン５の呼出釦が押され、通話する場合について説明する。通常状態においては、切替部４０Ｃは、住宅情報盤１０とＴＶドアホン５とを接続する状態になっているので、ＴＶドアホン５のカメラで映した映像は、映像回路４０Ｅを介してモニタユニット７へ供給され、その映像はモニタユニット７で表示される。また住宅情報盤１０とＴＶドアホン５間で行われる通話は、通話回路４０Ｄを介して行われる。
【００２２】
次に火災感知器が動作して戸外表示器７から警報する場合について説明する。警報時において、住宅情報盤１０Ｂの受信回路１０Ｃが、火災感知器からの火災信号を受信すると、警報表示回路１０Ｄが表示灯線Ｌ３にパルス信号からなる表示信号を戸外表示器７に出力する。このパルス信号に基づいて戸外表示器７の表示部が点滅駆動する。
【００２３】
ここで表示灯線Ｌ３に接続された警報監視回路４０Ｂは、表示灯線Ｌ３の状態変化、つまり電圧変化をとらえて、切替部４０Ｃを切り替える。即ち、住宅情報盤１０と戸外表示器７とを接続させる。
【００２４】
こうして住宅情報盤１０からの音声警報信号が、通話線Ｌ５、切替部４０Ｃ及び音声警報線Ｌ２を介して戸外表示器７に供給される。これにより戸外表示器７で、音声により火災の発生の警報が行われる。なお本実施形態の場合には、住宅情報盤１０が火災感知器からの火災信号を受信した時に、切替部４０Ｃが切り替えられることになるので、通電時であっても停電時であっても、警報すべき時には、戸外表示器７から警報が行われる。このため、停電を検出するための回路などを特に備える必要がない。
【００２５】
【発明の効果】
本発明は以上のように構成され、表示灯線の状態を警報監視回路により監視し、この警報監視回路により切替機の切替部の状態を切り替えるようにしたので、切替機を制御するための警報制御線Ｌ６が不要となる。このため警報制御線用の端子を備えていない住宅情報盤にも後付で戸外表示器を接続することができる。
【００２６】
また住宅情報盤は、火災感知器からの火災信号を受信した時に、表示灯線に表示信号を出力し、切替機の警報監視回路が、その際に切替部を切り替えて、住宅情報盤と戸外表示器とを接続するようにしたので、警報すべき時には、必ずドアホンから戸外表示器に切り替わって警報が行われる。このため従来のように通電時はドアホンで警報し、停電時に戸外表示器で警報するという統一性の不具合がなくなる。
【図面の簡単な説明】
【図１】図１は、本発明の警報システムのシステム図である。
【図２】図２は、従来の警報システムのシステム図である。
【符号の説明】
１　住宅情報盤、　３　モニタユニット、　４　切替機、　４Ｃ　切替部、
５　ＴＶドアホン、　７　戸外表示器、
１０　住宅情報盤、　１０Ｃ　受信回路、　１０Ｄ　警報表示回路、
４０　切替機、　４０Ｂ　警報監視回路、　４０Ｃ　切替部、
Ｌ１　通話映像線、　Ｌ２　音声警報線、　Ｌ３　表示灯線、
Ｌ４　映像線、　Ｌ５　通話線、　Ｌ６　警報制御線、
【図１】
2004038421.tif 000003
【図２】
2004038421.tif 000004